(57)【要約】【課題】着座位置や臀部の大きさにかかわらず肛門への圧迫を防止し、見た目に違和感のない椅子を提供する。【解決手段】痔疾患者の利用に適する椅子１は、使用者の着座する座部１０が該座部１０の幅方向Ａの中央に、幅方向Ａの両側へ向かって上向きに傾斜した傾斜座面１１ａ，１１ｂを含む谷部Ｕを有し、着座時の肛門への座部１０による圧迫を減少させた。【選択図】図１
2006043342.tif 000002
【特許請求の範囲】
【請求項１】
痔疾患者の利用に適する椅子であって、
使用者の着座する座部を中央部が低い略Ｖ字形に形成し、
前記座部は、幅方向の両側へ向かって上向きに傾斜した両側の傾斜座面と、該両側の傾斜座面の低い位置の交点部位に谷部を形成して成り、着座時の体の中心位置にある肛門への圧迫を減少させたことを特徴とする椅子。
【請求項２】
痔疾患者の利用に適する椅子であって、
使用者の着座する座部を中央部が低い略Ｖ字形に形成し、
前記座部は、受け板を幅方向の両側へ向かって上向きに傾斜させて略Ｖ字形に配設し、該受け板にクッションを敷設して両側の傾斜座面を形成し、該両側の傾斜座面の低い位置の交点部位に谷部を形成して成り、着座時の体の中心位置にある肛門への圧迫を減少させたことを特徴とする椅子。
【請求項３】
痔疾患者の利用に適しており、同時に複数人の着座が可能な椅子であって、
使用者の着座する座部が略１人分の座席幅ごとに該座席幅方向の中央に、該座席幅方向の両側へ向かって上向きに傾斜した傾斜座面と傾斜座面の間に形成された谷部とによる略Ｖ字形を連続させてなり、着座時の体の中心位置にある肛門への圧迫を減少させたことを特徴とするベンチタイプの椅子。
【請求項４】
前記略Ｖ字形を連続させた座部に一体のクッションを敷設したことを特徴とする請求項３に記載のベンチタイプの椅子。
【請求項５】
浴場での痔疾患者の利用に適する椅子であって、
使用者の着座する座部を中央部が低い略Ｖ字形に形成し、
前記座部は、幅方向の両側へ向かって上向きに傾斜した両側の傾斜座面と、該両側の傾斜座面の低い位置の交点部位に谷部を形成して成り、着座時の体の中心位置にある肛門と傾斜座面との接触をし難くしたことを特徴とする椅子。
【発明の詳細な説明】
【技術分野】
【０００１】
本発明は、痔疾患者の利用に適する椅子に関する。
【背景技術】
【０００２】
従来より、一般に普及している椅子に痔疾患者が着座すると、痔疾患者の肛門部に疼痛が起こるという問題が有った。これは、椅子の座面が略平坦なために肛門部が座面に圧迫されることが原因となっている。そこで、この問題を解決するために、椅子の座面の中央部をくり抜いた痔疾者用椅子が特許文献１に開示されている。この痔疾者用椅子は、座部のほぼ中央部に円形の凹部を設けたものであり、痔疾者が使用する場合には、患部が圧迫されにくいようにして苦痛を和らげるようにしたものである。
【０００３】
【特許文献１】特開平０８−１８７２５７号公報
【発明の開示】
【発明が解決しようとする課題】
【０００４】
しかしながら、このような従来の技術では、座部の中央の凹部あるいはくり抜き部分の上から肛門部がずれた状態で座ると肛門部が座部に圧迫されて疼痛が起こるので、肛門部が凹部あるいはくり抜き部分の上に位置するように注意して座らなければならず、また、着座後にもうっかり座り直して凹部あるいはくり抜き部分の上から肛門がずれないように注意していなければならないという問題点が有った。
【０００５】
また、このような椅子は専用であって一般の人には座りにくく、また、これに座ると痔疾の有ることが他者に分かってしまい、恥ずかしい思いをすることがあるという問題点が有った。
【０００６】
本発明は、以上のような従来技術が有する問題点に着目してなされたもので、着座位置や臀部の大きさにかかわらず肛門への圧迫がなく、かつ、見た目に違和感のない椅子を提供することを目的としている。
【課題を解決するための手段】
【０００７】
かかる目的を達成するための本発明の要旨とするところは、次の各項の発明に存する。
［１］痔疾患者の利用に適する椅子（１）であって、
使用者の着座する座部（１０）を中央部が低い略Ｖ字形に形成し、
前記座部（１０）は、幅方向（Ａ）の両側へ向かって上向きに傾斜した両側の傾斜座面（１１ａ，１１ｂ）と、該両側の傾斜座面（１１ａ，１１ｂ）の低い位置の交点部位（Ｘ）に谷部（Ｕ）を形成して成り、着座時の体の中心位置にある肛門への圧迫を減少させたことを特徴とする椅子（１）。
【０００８】
［２］痔疾患者の利用に適する椅子（１）であって、
使用者の着座する座部（１０）を中央部が低い略Ｖ字形に形成し、
前記座部（１０）は、受け板（１４）を幅方向（Ａ）の両側へ向かって上向きに傾斜させて略Ｖ字形に配設し、該受け板（１４）にクッション（１１）を敷設して両側の傾斜座面（１１ａ，１１ｂ）を形成し、該両側の傾斜座面（１１ａ，１１ｂ）の低い位置の交点部位（Ｘ）に谷部（Ｕ）を形成して成り、着座時の体の中心位置にある肛門への圧迫を減少させたことを特徴とする椅子（１）。
【０００９】
［３］痔疾患者の利用に適しており、同時に複数人の着座が可能な椅子（２、３）であって、
使用者の着座する座部（１０）が略１人分の座席幅ごとに該座席幅方向（Ｂ）の中央に、該座席幅方向（Ｂ）の両側へ向かって上向きに傾斜した傾斜座面（１１ａ，１１ｂ）と傾斜座面（１１ａ，１１ｂ）の間に形成された谷部（Ｕ）とによる略Ｖ字形を連続させてなり、着座時の体の中心位置にある肛門への圧迫を減少させたことを特徴とするベンチタイプの椅子（２、３）。
【００１０】
［４］前記略Ｖ字形を連続させた座部（１０）に一体のクッション（３１）を敷設したことを特徴とする［３］に記載のベンチタイプの椅子（３）。
【００１１】
［５］浴場での痔疾患者の利用に適する椅子（４）であって、
使用者の着座する座部（４０）を中央部が低い略Ｖ字形に形成し、
前記座部（４０）は、幅方向（Ａ）の両側へ向かって上向きに傾斜した両側の傾斜座面（４１ａ，４１ｂ）と、該両側の傾斜座面（４１ａ，４１ｂ）の低い位置の交点部位（Ｘ）に谷部（Ｕ）を形成して成り、着座時の体の中心位置にある肛門と傾斜座面（４１ａ，４１ｂ）との接触をし難くしたことを特徴とする椅子（４）。
【００１２】
前記本発明は次のように作用する。
【００１３】
［１］の椅子（１）では、座部（１０）は、その幅方向（Ａ）の中央部が低くなった略Ｖ字形に形成されており、座部（１０）は、幅方向（Ａ）の両側に向かって上向きに傾斜した両側の傾斜座面（１１ａ，１１ｂ）と、該両側の傾斜座面（１１ａ，１１ｂ）の低い位置の交点部位（Ｘ）に谷部（Ｕ）を形成してなる。このため、使用者が通常の座り方をする限り、傾斜座面（１１ａ，１１ｂ）に肛門が当たることはなく、したがって、肛門に圧迫を受けることがない。また、使用者が椅子（１）に座る際には無意識のうちに座り易く、姿勢が安定する位置に座るが、傾斜座面（１１ａ，１１ｂ）があることにより、姿勢が安定する位置に座ると使用者の臀部の大きさにかかわりなく肛門が谷部（Ｕ）の上に位置するので、肛門が圧迫されない位置に自然に座ることができる。
【００１４】
また、前記谷部（Ｕ）は、座部（１０）の幅方向（Ａ）の中央に椅子（１）の前後方向に形成されているので、着座位置を前後方向にずらして着座姿勢を変えても肛門が圧迫されることがなく、もって、長時間に亘って楽に着座していることができる。また、形状も傾斜方向の異なる２つの傾斜座面（１１ａ，１１ｂ）という座部（１０）全体として、延いては椅子（１）全体としての形状に特徴が有るので、座部（１０）の局所的に特徴を有するものの形状とは異なり、見た目に違和感のない椅子（１）になる。
【００１５】
なお、座部（１０）が受け板（１４）を幅方向（Ａ）の両側へ向かって上向きに傾斜させて略Ｖ字形に配設し、該受け板（１４）にクッション（１１）を敷設して両側の傾斜座面（１１ａ，１１ｂ）を形成し、該両側の傾斜座面（１１ａ，１１ｂ）の低い位置の交点部位（Ｘ）に谷部（Ｕ）を形成して成るものの場合にも、クッション（１１）が傾斜座面（１１ａ，１１ｂ）を形成しているので、前記したように傾斜座面（１１ａ，１１ｂ）に肛門が当たることはなく、したがって、座部（１０）による肛門への直接の圧迫を減少させることができる。
【００１６】
［３］のベンチタイプの椅子（２，３）では、座部（１０）が略１人分の座席幅ごとに該座席幅方向（Ｂ）の中央に、該座席幅方向（Ｂ）の両側へ向かって上向きに傾斜した傾斜座面（１１ａ）と傾斜座面（１１ｂ）の間に形成された谷部（Ｕ）とによる略Ｖ字形を連続させてなり、それぞれの谷部（Ｕ）の上に１人ずつ着座することができる。したがって、同時に複数人が椅子（２，３）に着座できる。この場合にも傾斜座面（１１ａ，１１ｂ）が有るために、着座者が自然に座ると肛門が谷部（Ｕ）の上に位置するので、座部（１０）による肛門への圧迫が減少する。
【００１７】
また、椅子（２，３）は、座部（１０）に形成された連続する略Ｖ字形を椅子（２，３）の長手方向に真っ直ぐに連続させてもよいし、椅子（２，３）の長手方向を円弧状にして、その円弧に沿って連続させてもよく、病院等の待合室やホテルのロビー等に設置することにより、痔疾患者はそれらの場所で気軽に椅子（２，３）に着座することができる。
【００１８】
［４］のベンチタイプの椅子（３）では、座部（１０）に一体のクッション（３１）を敷設することにより、１座席分ごとにクッションを敷設する場合に比べて製造時間が短くなり、製造コストも低いものにすることができる。
【００１９】
［５］の椅子（４）では、使用者が自然な位置に着座したときに、肛門が谷部（Ｕ）の上方に位置して、傾斜座面（４１ａ，４１ｂ）に接触することがない。また、傾斜座面（４１ａ，４１ｂ）上に流下した湯水は、谷部（Ｕ）へ向かって流れ、さらに、谷部（Ｕ）の両端から流下する。このため、傾斜座面（４１ａ，４１ｂ）や谷部（Ｕ）に湯水が残留することがない。このように、椅子（４）は浴場で使用する椅子として、衛生面を向上させたものとすることができる。
【発明の効果】
【００２０】
本発明にかかる［１］の椅子によれば、使用者が着座した際に両側の傾斜座面の低い位置の交点部位に形成した谷部の上方に肛門が位置するので、肛門が座面に触れることがなく、肛門が座面から圧迫を受けることがない。また、谷部は座部の幅方向の中央部に椅子の前後方向に形成されているので、着座位置を前後方向にずらして着座姿勢を変えても肛門が圧迫されることがない。したがって、着座位置にかかわらず肛門への圧迫がなく、これにより、長時間であっても楽に着座していることができる。また、椅子の形状は、傾斜方向の異なる２つの傾斜座面を有する椅子全体の形状に特徴が有り、局所的に特徴を有するものと異なって見た目に違和感のない椅子にすることができる。
【００２１】
［２］の椅子によれば、クッションによって両側の傾斜座面を形成することにより、座り心地が向上するとともに［１］の椅子と同様に、着座位置にかかわらず肛門への圧迫がなく、かつ、見た目に違和感のない椅子となる。
【００２２】
［３］のベンチタイプの椅子によれば、それぞれの谷部の上に１人ずつ着座することができ、同時に複数人が椅子に着座しても、傾斜座面が有るために、着座者各人が自然に座っている限り、肛門が谷部の上に位置するので、座部による肛門への圧迫が減少する。
【００２３】
また、座部の幅方向には傾斜方向の異なる傾斜座面が交互に続くので、この長椅子の形状的特長は長椅子全体の１つのデザイン的な特徴として見えるので、痔疾患者の利用に供するための椅子には見えずに、見た目に違和感のない椅子となる。
【００２４】
谷部を有する座部を複数備えているものによれば、特に痔疾患者が来院する外科や産科等の待合室などに設置することにより、痔疾患者は着座による疼痛の発生を恐れることなく、気楽に椅子に座っていることができる。
【００２５】
さらに、［４］のベンチタイプの椅子のように、座部に一体のクッションを敷設することにより、座部による肛門への圧迫を減少させたままに座り心地を向上させることができ、そのうえ、１座席分ごとにクッションを敷設する場合に比べて製造時間が短くなり、製造コストも低いものにすることができる。
【００２６】
また、椅子が浴場で使用する椅子である場合には、座した際に、肛門が着座面である傾斜座面に密着せず、また、湯水が谷部の前後から流れ落ちて溜まることがないので、エイズやカンジタ菌等の感染を予防することができる。特に、樹脂製の椅子よりも保水し易いために、衛生面で劣る虞のある木製の椅子において、前記感染の予防や衛生面の向上に有効である。
【発明を実施するための最良の形態】
【００２７】
以下、図面に基づき本発明の好適な各種実施の形態を説明する。  
図１は、本発明の第１実施の形態にかかる椅子を示す正面図である。  
図１に示すように、椅子１は、該椅子１の両側に設けられた脚部１２と、両脚部１２間に設けられ、座部１０が取り付けられる底板１３および受け板１４と、背凭れ１５から構成されている。脚部１２および底板１３は木製でもスチール製でもよく、ほかに一般に椅子に使用される如何なる素材でもよく、背凭れ１５は木製、スチール製、布製等、特に素材は限定されない。
【００２８】
底板１３は、左右の脚部１２間に略水平に固定されている。この底板１３の上には、該底板１３の中央部から左右両側それぞれの脚部１２まで上向きに傾斜して至る受け板１４が固定されている。左右の受け板１４は、正面から見たときにＶ字を左右に広げた形に配設されている。この受け板１４は、木製、スチール製、樹脂製その他、使用者が座部１０に着座した際に十分に支えられる素材であれば、特に限定されない。
【００２９】
この受け板１４の上には使用者の着座する座部１０が設けられている。座部１０は、それぞれの受け板１４の上にクッション１１を敷設してなる。クッション１１は、例えば、略同一の厚みを有するウレタンにカバーを付けたものである。このクッション１１の上面は略平面状の傾斜座面１１ａ，１１ｂを成している。これら傾斜座面１１ａ，１１ｂは、座部１０の幅方向Ａの中央部から該幅方向Ａの両側へ向かって上向きに傾斜しており、正面から見ると受け板１４と同様にＶ字を左右に広げたような形状をしている。両側の傾斜座面１１ａ，１１ｂの低い位置の交点部位Ｘは谷部Ｕを形成している。したがって、この谷部Ｕは、座部１０の前後方向に延びている。
【００３０】
なお、傾斜座面１１ａ，１１ｂは、谷部Ｕの最も低い底部まで至っている必要はなく、受け板１４の最上部から底部に至る途中までしかなくてもよい。また、傾斜座面１１ａ，１１ｂは、必ずしも受け板１４の最上部にまで至っている必要はない。
【００３１】
また、クッション１１は、それぞれの受け板１４上に１つずつ別個に配設してもよいが、１枚の平板状のクッションを前記Ｖ字を左右に広げたような形状に折り曲げて敷設してもよいし、予め前記Ｖ字を左右に広げたような形状に成形したものを配設してもよい。
【００３２】
次に、第１実施の形態にかかる椅子１の作用を説明する。  
座部１０の幅方向Ａの中央は、両側の傾斜座面１１ａ，１１ｂの交点部位Ｘであり、座部１０のうちで最も低い位置にあり、谷部Ｕの底部である。このため、使用者が通常の座り方で椅子１に座ると、傾斜座面１１ａ，１１ｂに肛門が当たることはなく、したがって、肛門に圧迫を受けることがない。
【００３３】
通常、使用者が椅子１に座る際には無意識のうちに座り易く、姿勢が安定するように座るが、図２に示すように、座部１０に傾斜座面１１ａ，１１ｂがあることにより、肛門の位置が谷部Ｕの底部の略真上からずれた位置に座ると傾斜座面１１ａ，１１ｂのいずれかに片寄って座ることになる。片寄って座っても肛門が谷部Ｕの上方に位置する限り、肛門が座部１０から圧迫されることはないが、使用者は片寄った側の傾斜を感じて、座り心地が悪いと感じることになり、傾斜を感じない位置に自然に座り直すことになる。この傾斜を感じない位置では肛門が谷部Ｕの底部の略真上に位置するので、肛門は、座部１０からの圧迫を全く受けない状態になる。
【００３４】
この椅子１に座ったときに肛門が傾斜座面１１ａ，１１ｂの何れかから圧迫される場合は、傾斜座面１１ａ，１１ｂの何れか一方の面に座ったときであるが、傾斜座面１１ａ，１１ｂは何れも傾斜しているので、このような座り方をすると、どちらに座っても前記のように片寄って座ったとき以上に座り心地が悪く、また、極めて座り難い。したがって、あえてこのような座り方をしない限り、傾斜座面１１ａ，１１ｂが肛門を圧迫することがなく、痔疾患者は気楽に椅子１に座ることができる。
【００３５】
また、傾斜座面１１ａ，１１ｂを含む谷部Ｕは座部１０の前後方向に延びているので、着座位置を前後方向にずらして着座姿勢を変えても肛門が圧迫されることがない。このため、長時間であっても適宜に着座位置や着座姿勢を変えながら楽に着座していることができる。
【００３６】
また、痔疾患者でない使用者が使用する場合でも、傾斜座面１１ａ，１１ｂが使用者の臀部をサポートするので着座時の臀部の収まりが良く、心地良い着座感が提供される。
【００３７】
また、前記のように着座面が傾斜座面１１ａ，１１ｂとなっていることによって、使用者は、自然に肛門を谷部Ｕの真上に位置させるように座ることになる作用は、身体の大小、臀部の大小にかかわらないので、本実施の形態にかかる椅子に座れる身体サイズの使用者であれば快適な座り心地を得ることができる。
【００３８】
椅子１の形状が一般的な椅子の形状と異なる点は、傾斜方向の異なる２つの傾斜座面１１ａ，１１ｂを有するという座部１０の全体形状である。この座部１０の全体形状は、肛門への圧迫をなくす効果を発揮しているが、椅子全体のデザインとして座部１０に特徴があるデザインとして捉えられ、痔疾者の使用に供するためのデザインであるとは分かり難く、見た目にも違和感のない椅子になる。
【００３９】
なお、図示した傾斜座面１１ａ，１１ｂの傾斜の度合いは単なる例示であり、傾斜角度を限定するものではない。例えば、痔疾患者が多い外科や産科の待合室等に設置する場合には、傾斜角度を比較的に大きくし、一般事務職者が仕事中に使用する椅子や自動車の椅子などでは傾斜角度を比較的小さくすることが好ましい。
【００４０】
上記の椅子１は、傾斜座面１１ａ，１１ｂの傾斜角度を調節可能な機構を備えてもよく、これにより、使用者の好みに合った着座感を得ることができる。
【００４１】
なお、痔疾者が自動車を運転するときは、身体を捻ってシートに座ることがある。これは、ブレーキを踏むときにより強く肛門部が圧迫されて激痛が走るのでその激痛を和らげるための座り方であるが、運転中に身体を捻って座ることも、ブレーキの際に激痛が走ることも何れも事故につながることが有り得るので危険であるが、本実施の形態にかかる椅子を自動車に装備することによってブレーキの際の激痛が軽減されて、運転中に身体を捻って座る必要がなくなるので、痔疾者の運転中の安全の向上につながる。このように自動車に装備する椅子に傾斜座面１１ａ，１１ｂの傾斜角度を調節可能な機構を備えておくことにより、各運転者の求める角度に傾斜座面１１ａ，１１ｂの傾斜角度を調節できるので、痔疾者にとって、より快適であり、安全につながる椅子となる。
【００４２】
次に、本発明の第２実施の形態にかかるベンチタイプの椅子について図３を参照しながら説明する。  
図３には、本発明の第２実施の形態にかかる椅子２が模式的に示されている。  
本実施の形態にかかる椅子２が前記第１実施の形態にかかる椅子１と異なる点は、前記第１実施の形態にかかる椅子１の座部１０と同様の座部１０を複数並設したことである。これは、座部１０が略１人分の座席幅ごとに該座席幅方向Ｂの中央に、該座席幅方向Ｂの両側へ向かって上向きに傾斜した傾斜座面１１ａと傾斜座面１１ｂの間に形成された谷部Ｕとによる略Ｖ字形を連続させて成っている。なお、第１実施の形態と同種の部位には同一符号を付して重複した説明を省略する。
【００４３】
本実施形態では、５席分の座部１０が並設されているので、底板１３はその分だけ幅方向に長くなっているとともに、着座者が増えると荷重が大きくなるので、強度の大きいものが使用されている。また、図示省略したが、荷重を受けるための補強材が使用されている。さらに、隣り合う２つの座部１０，１０間の下には、受け板１４を固定するとともに支持する支持部材１６が設けられている。  
また、図３に例示した椅子２には、隣り合う座部１０と座部１０との間にアームレスト１７が設けられている。これにより、椅子２は椅子としてより優れた機能を有することとなる。
【００４４】
次に、第２実施の形態にかかるベンチタイプの椅子２の作用を説明する。  
本実施の形態にかかる椅子２における座部１０は、第１実施の形態における座部１０と基本的に同じであるので、使用者がどの座部１０に座っても、通常の座り方で最も座り心地が良いように座ると、上記の実施の形態について説明したように自然に肛門が谷部Ｕの略真上に位置する。これにより座部１０が肛門を圧迫することがなく、痔疾患者は気楽に座ることができる。
【００４５】
複数の座部１０を横並びに並設したり、円弧状に並設したりして、病院等の待合室やホテルのロビー等に設置することにより、痔疾患者は気を使うことなくそれらの場所で椅子に着座することができる。
【００４６】
また、痔疾患者でない使用者も第１実施の形態にかかる椅子と同様に、快適な座り心地を得ることができる。
【００４７】
座部１０は、複数個が隣接して設けられているが、隣り合う座部１０同士の間には、前記のようにアームレスト１７に代えて、あるいは、アームレスト１７とともに小物を置くためのスペースたる小物置きを設けてもよい。
【００４８】
また、アームレスト１７や小物置きなどを設けなくてもよい。
【００４９】
次に、本発明の第３実施の形態にかかるベンチタイプの椅子について図４を参照しながら説明する。なお、第２実施の形態と同種の部位には同一符号を付して重複した説明を省略する。
【００５０】
図４には、本発明の第３実施の形態にかかるベンチタイプの椅子３を正面から見た図が示されている。椅子３は同時に複数人の着座が可能であり、第２実施の形態にかかる椅子２に類似しているが、第２実施の形態にかかる椅子２が座部１０の傾斜座面１１ａ，１１ｂごとにクッション１１を敷設したものであるのに対して、本実施の形態にかかる椅子３は、座部１０全体に一体のクッション３１を敷設した点が異なる。
【００５１】
椅子３は、両側に設けられた脚部１２の間に、座部１０を載置するための底板１３が取り付けられている。底板１３の上には、略１人分の座席幅ごとに受け板１４を固定するとともに支持する支持部材１６が設けられている。受け板１４は支持部材１６と支持部材１６との間の中央から両側の支持部材１６の上部に向かって（座席幅方向Ｂの両側へ向かって上向きに）取り付けられている。したがって、図示したように受け板１４は椅子３の長手方向に交互に傾斜方向を違えて略Ｖ字形に連続するように取り付けられている。
【００５２】
このように取り付けた受け板１４の上に椅子３の長手方向に延びる座部１０に一体のクッション３１が敷設されている。これにより、座部１０は、略１人分の座席幅ごとに座席幅方向Ｂの中央に、すなわち、座席幅方向Ｂの両側へ向かって上向きに傾斜した傾斜座面３１ａ，３１ｂの低い位置の交点部位Ｘに、谷部Ｕを形成している。
【００５３】
この椅子３によれば、前記の各実施の形態にかかる椅子と同様に、使用者が１つの谷部Ｕの上に座ることにより、座部１０から肛門が圧迫されることがない。このため、痔疾患者は着座による疼痛の発生を恐れることなく、気楽に椅子３に座ることができる。
【００５４】
なお、座部１０の傾斜座面３１ａ，３１ｂは図示したように連続していても良いが、例えば、傾斜座面３１ｂと隣の席の傾斜座面３１ａとの間に所定幅の平坦面部を設けても良い。
【００５５】
次に、本発明の第４実施の形態にかかる椅子について図５を参照しながら説明する。なお、第１実施の形態と同種の部位には同一符号を付して重複した説明を省略する。  
図５には、本発明の第４実施の形態にかかる椅子を正面から見た図が示されている。
【００５６】
本実施の形態にかかる椅子４は、浴場で使用する椅子である。椅子４は使用者が着座する座部４０に脚部４２が直接に固定されている。座部４０および脚部４２はともに木製である。ただし、木製に限定されることなく、樹脂製などであってもよい。
【００５７】
座部４０は、傾斜座面４１ａ，４１ｂとして幅方向Ａの中央から該幅方向Ａの両側へ向かって上向きに傾斜した平面を有している。傾斜座面４１ａ，４１ｂの低い位置の交点部位Ｘが谷部Ｕを形成しており、Ｖ字を左右に広げたような形状に形成されている。
【００５８】
本実施の形態にかかる椅子４についても、前記の各実施の形態と同様に、座りやすい座り方で着座したときに使用者の肛門が谷部Ｕの真上に位置するので、傾斜座面４１ａ，４１ｂによって肛門が圧迫されることがない。また、肛門は、傾斜座面４１ａ，４１ｂに密着することがなく、また、湯水も傾斜座面４１ａ，４１ｂを谷部Ｕの底部に向かって流れ落ち、底部の前後端から流れ落ちて谷部Ｕに溜まることがないので、エイズやカンジタ菌等の感染を予防することができる。特に、木製の椅子は樹脂製の椅子よりも保水し易いので衛生面で劣ると思われるが、湯水が傾斜座面４１ａ，４１ｂにとどまりにくいので前記感染の予防や衛生面の向上に有効である。
【００５９】
なお、以上の各実施の態様において、傾斜座面は、前記のように略平面でもよいし、平面に限られず、例えば、円筒の側面の一部形状や球面の一部形状のような湾曲面でもよい。
【００６０】
また、前記の各実施の形態によれば、肛門と座部との間に空間ができ、肛門が座部によって直接には圧迫されないので、疼痛の起こる機会が激減するとともに痔核が治り易くなる。
【図面の簡単な説明】
【００６１】
【図１】本発明の第１実施の形態にかかる椅子を示す正面図である。
【図２】本発明の第１実施の形態にかかる椅子の使用状態を示す模式図である。
【図３】本発明の第２実施の形態にかかる椅子の模式図である。
【図４】本発明の第３実施の形態にかかる椅子を示す正面図である。
【図５】本発明の第４実施の形態にかかる椅子の正面図である。
【符号の説明】
【００６２】
１，２，３，４…椅子
１０…座部
１１…クッション
１１ａ，１１ｂ…傾斜座面
１２…脚部
１３…底板
１４…受け板
１５…背凭れ
１６…支持部材
１７…アームレスト
３１…クッション
３１ａ，３１ｂ…傾斜座面
４０…座部
４１ａ，４１ｂ……傾斜座面
４２…脚部
Ａ…幅方向
Ｂ…座席幅方向
Ｕ…谷部
Ｘ…交点部位
【図１】
2006043342.tif 000003
【図２】
2006043342.tif 000004
【図３】
2006043342.tif 000005
【図４】
2006043342.tif 000006
【図５】
2006043342.tif 000007